(57)【要約】【課題】照明手段の配置の自由度が高く、照明手段により読み取り対象物を効率よく照明することが可能な新規な構成の結像光学素子を備える画像読取装置を提供する。【解決手段】入射側のアパーチャー部材４２は、長手方向に直交するＹ−Ｚ断面がくさび状の外形およびくさび状の凹空間ＳＰ１を有しており、各透孔４２ａが透設されたアパーチャー部材４２の先端面のＹ−Ｚ断面における幅が従来よりも狭く形成されている。したがって、レンズアレイ４１に並設された照明手段３のライトガイド３１の出射面３１ｂを原稿ＯＢの反射光が入射されるアパーチャー部材４２の尖った先端側により近接して配置することができるので、照明手段３の配置の自由度が高く、照明手段３により原稿ＯＢを効率よく照明することが可能な新規な構成のレンズユニット４を備えるＣＩＳモジュール１を提供することができる。【選択図】図１
2013222987.tif 000002
【特許請求の範囲】
【請求項１】
光源の光を導光する長尺の導光体を有し読み取り対象物に前記光を照射する照明手段と、
入射面に入射した前記対象物からの反射光を集光してセンサー上に正立等倍像を形成する結像光学素子とを備え、
前記結像光学素子は、
前記導光体に並設され、前記反射光を入射させる複数の第１レンズ面が前記導光体の長手方向と同方向に配列されて成る前記入射面を有するレンズアレイと、
前記レンズアレイと前記対象物との間に配置され、前記長手方向と同方向に複数の透孔が透設された長尺のアパーチャー部材とを有し、
前記アパーチャー部材は、前記長手方向に直交する断面がくさび状の外形およびくさび状の凹空間を有し、前記アパーチャー部材の尖った先端側に前記各透孔が透設され、前記レンズアレイの前記各第１レンズ面が前記各透孔に対向するように、前記レンズアレイが前記アパーチャー部材の前記凹空間に嵌挿されている
ことを特徴とする画像読取装置。
【請求項２】
前記レンズアレイの前記長手方向に直交する断面が、前記入射面側に向かって先細りするくさび状を成す請求項１に記載の画像読取装置。
【請求項３】
前記アパーチャー部材の前記長手方向に直交する断面において、前記アパーチャー部材の内側面は、前記各透孔を通過して前記各第１レンズ面に入射する前記反射光の光路の外側に配置されている請求項１または２に記載の画像読取装置。
【請求項４】
前記アパーチャー部材は、前記各透孔を通過する前記反射光の各光軸に平行な断面が前記各透孔が上底側に配置された台形状の前記凹空間を有し、
前記レンズアレイは、前記第１レンズ面および該第１レンズ面に入射させた光を出射する第２レンズ面を有する複数のレンズが互いの光軸を平行にして前記長手方向と同方向に配列されて形成され、その前記各レンズの光軸に平行な断面が、前記入射面が上底側に配置された台形状を成す請求項１ないし３のいずれかに記載の画像読取装置。
【請求項５】
前記レンズアレイは、射出成形により成形されたものであってその外側面に金型から該レンズアレイを押圧して取り出すための凹部が複数形成されており、
前記レンズアレイの前記凹空間への嵌挿状態において、前記複数の凹部の少なくとも１つに係合する係合部が前記アパーチャー部材の前記凹空間の内側面に設けられている請求項１ないし４のいずれかに記載の画像読取装置。
【請求項６】
前記アパーチャー部材は、前記導光体に対向する部分が前記長手方向に沿って面取りされている請求項１ないし５のいずれかに記載の画像読取装置。
【発明の詳細な説明】
【技術分野】
【０００１】
この発明は、読み取り対象物からの反射光を結像して正立等倍像を形成する結像光学素子を備える画像読取装置に関するものである。
【背景技術】
【０００２】
従来、イメージスキャナー、ファクシミリ、複写機、金融端末装置等において、コンタクトイメージセンサー（Contact Image Sensor）モジュール（以下、「ＣＩＳモジュール」と略する）が画像読取装置として用いられている。この種のＣＩＳモジュールでは、列状に多数配列された微細な光学センサーのそれぞれに読み取り対象物からの反射光を正しく入射させるため、読み取り対象物と光学センサーとの間に通常は例えばＳＬＡ（セルフォック（登録商標）レンズアレイ）から成る結像光学素子を配置して、正立等倍像を光学センサー上に結像させることが一般的に行われている。また、ＳＬＡの代わりにレンズアレイおよび各レンズ構造に対応する透孔が設けられたアパーチャー部材を備える結像光学素子が配置されることがある（例えば、特許文献１参照）。
【先行技術文献】
【特許文献】
【０００３】
【特許文献１】特開２００９−２４６６２３号公報（例えば、図１）
【発明の概要】
【発明が解決しようとする課題】
【０００４】
ところで、結像光学素子により正立等倍像がセンサー上に鮮明に形成されるために、読み取り対象物と結像光学素子が備えるレンズアレイの光軸とが交わる部分が照明手段により帯状に十分に照明される必要があるが、照明手段による照明が十分に行われるためには、照明手段をレンズアレイの光軸に近接配置しなければならない。ところが、ＳＬＡの代わりにレンズアレイおよびアパーチャー部材が配置された結像光学素子の場合、ＳＬＡの幅に比べるとアパーチャー部材の幅が非常に広いので照明手段の配置場所が制限されて、アパーチャー部材が邪魔となって照明手段により読み取り対象物が十分に照明されないおそれがある。しかしながら、この点についてはこれまで十分な検討がなされてこなかった。
【０００５】
この発明は上記課題に鑑みてなされたものであり、照明手段の配置の自由度が高く、照明手段により読み取り対象物を効率よく照明することが可能な新規な構成の結像光学素子を備える画像読取装置を提供することを目的とする。
【課題を解決するための手段】
【０００６】
この発明にかかる画像読取装置は、上記目的を達成するために、光源の光を導光する長尺の導光体を有し読み取り対象物に前記光を照射する照明手段と、入射面に入射した前記対象物からの反射光を集光してセンサー上に正立等倍像を形成する結像光学素子とを備え、前記結像光学素子は、前記導光体に並設され、前記反射光を入射させる複数の第１レンズ面が前記導光体の長手方向と同方向に配列されて成る前記入射面を有するレンズアレイと、前記レンズアレイと前記対象物との間に配置され、前記長手方向と同方向に複数の透孔が透設された長尺のアパーチャー部材とを有し、前記アパーチャー部材は、前記長手方向に直交する断面がくさび状の外形およびくさび状の凹空間を有し、前記アパーチャー部材の尖った先端側に前記各透孔が透設され、前記レンズアレイの前記各第１レンズ面が前記各透孔に対向するように、前記レンズアレイが前記アパーチャー部材の前記凹空間に嵌挿されていることを特徴としている。
【０００７】
このように構成された発明では、アパーチャー部材は、長手方向に直交する断面がくさび状の外形およびくさび状の凹空間を有し、アパーチャー部材の尖った先端側に各透孔が透設され、レンズアレイの各第１レンズ面が各透孔に対向するように、長手方向に沿ってレンズアレイがアパーチャー部材の凹空間に嵌挿されている。したがって、レンズアレイに並設された照明手段の導光体を、読み取り対象物からの反射光が入射されるアパーチャー部材の尖った先端側により近接して配置することができるので、照明手段の配置の自由度が高く、照明手段により読み取り対象物を効率よく照明することが可能な新規な構成の結像光学素子を備える画像読取装置を提供することができる。
【０００８】
また、前記レンズアレイの前記長手方向に直交する断面が、前記入射面側に向かって先細りするくさび状を成してもよい。
【０００９】
このように構成すると、レンズアレイの長手方向に直交する断面がくさび状を成し、該レンズアレイが嵌挿されるアパーチャー部材の凹空間の長手方向に直交する断面がくさび状であるので、レンズアレイがアパーチャー部材の凹空間にくさびのように嵌挿されることによって、レンズアレイとアパーチャー部材との位置合わせを容易に行うことができる。
【００１０】
また、前記アパーチャー部材の前記長手方向に直交する断面において、前記アパーチャー部材の内側面は、前記各透孔を通過して前記各第１レンズ面に入射する前記反射光の光路の外側に配置されているとよい。
【００１１】
このように構成すると、アパーチャー部材の透孔に入射した読み取り対象物からの反射光が、アパーチャー部材の内側面により反射されたり、吸収されたりすることにより、センサー上に形成される正立等倍像に誤差等が生じるのを防止することができる。
【００１２】
また、前記アパーチャー部材は、前記各透孔を通過する前記反射光の各光軸に平行な断面が前記各透孔が上底側に配置された台形状の前記凹空間を有し、前記レンズアレイは、前記第１レンズ面および該第１レンズ面に入射させた光を出射する第２レンズ面を有する複数のレンズが互いの光軸を平行にして前記長手方向と同方向に配列されて形成され、その前記各レンズの光軸に平行な断面が、前記入射面が上底側に配置された台形状を成すとよい。
【００１３】
このように構成すると、レンズアレイがアパーチャー部材の凹空間に嵌挿される際に、レンズアレイの長手方向における両端面により形成されるテーパー形状が、アパーチャー部材の凹空間の長手方向における両内側面により形成されるテーパー形状に係止することによって、レンズアレイがアパーチャー部材の凹空間に嵌め込まれるので、長手方向におけるレンズアレイとアパーチャー部材との位置合わせを容易に行うことができる。
【００１４】
また、前記レンズアレイは、射出成形により成形されたものであってその外側面に金型から該レンズアレイを押圧して取り出すための凹部が複数形成されており、前記レンズアレイの前記凹空間への嵌挿状態において、前記複数の凹部の少なくとも１つに係合する係合部が前記アパーチャー部材の前記凹空間の内側面に設けられているとよい。
【００１５】
このように構成すると、レンズアレイの凹空間への嵌挿状態において、射出成形に用いられる金型からレンズアレイを取り出すために該レンズアレイの外側面に形成された複数の凹部の少なくとも１つに、アパーチャー部材の凹空間の内側面に設けられた係合部が係合することにより、レンズアレイのアパーチャー部材に対する位置決めが行われるので、レンズアレイに位置決め用の突起等を別途形成する必要がなく、非常に実用的である。
【００１６】
また、前記アパーチャー部材は、前記導光体に対向する部分が前記長手方向に沿って面取りされているとよい。
【００１７】
このように構成すると、アパーチャー部材の導光体に対向する部分が長手方向に沿って面取りされているため、導光体から読み取り対象物に向かって照射される光がアパーチャー部材によって遮光されるのを抑制することができる。
【図面の簡単な説明】
【００１８】
【図１】本発明の第１実施形態であるＣＩＳモジュールを示す部分断面斜視図。
【図２】レンズユニットの透孔が無い位置におけるＹ−Ｚ断面斜視図。
【図３】レンズユニットの透孔がある位置におけるＹ−Ｚ断面斜視図。
【図４】レンズユニットのＸ−Ｚ断面図。
【図５】ライトガイドによる原稿の照明状態を説明するための図。
【図６】比較例における原稿の照明状態を説明するための図。
【図７】ライトガイドの変形例における原稿の照明状態を説明するための図。
【図８】本発明の第２実施形態におけるレンズユニットのＸ−Ｚ断面図。
【図９】本発明の第３実施形態におけるレンズアレイの斜視図。
【図１０】レンズユニットのＹ−Ｚ断面斜視図。
【図１１】本発明の第４実施形態におけるレンズユニットのＹ−Ｚ断面斜視図。
【図１２】レンズユニットのＹ−Ｚ断面図。
【発明を実施するための形態】
【００１９】
＜第１実施形態＞
本発明にかかる画像読取装置の第１実施形態であるＣＩＳモジュールについて図１〜図４を参照して説明する。
【００２０】
図１は本発明にかかる画像読取装置の第１実施形態であるＣＩＳモジュールを示す部分断面斜視図、図２はレンズユニットの透孔が無い位置におけるＹ−Ｚ断面斜視図、図３はレンズユニットの透孔がある位置におけるＹ−Ｚ断面斜視図、図４はレンズユニットのＸ−Ｚ断面図である。
【００２１】
ＣＩＳモジュール１（本発明の「画像読取装置」に相当）は、原稿ガラスＧＬ上に載置された原稿ＯＢを読み取り対象物として原稿ＯＢに印刷された画像を読み取る装置であり、原稿ガラスＧＬの直下に配置されている。ＣＩＳモジュール１は、Ｘ方向における原稿ＯＢの読み取り範囲より長く延びる直方体状のフレーム２を有しており、フレーム２内に照明手段３、レンズユニット４（本発明の「結像光学素子」に相当）、センサー５、プリント回路基板６がフレーム２に保持されて配置されている。
【００２２】
フレーム２は、フレーム部材２１ａおよび中間部材２１ｂを備え、フレーム部材２１ａの内部空間は、中間部材２１ｂにより、照明手段３（ライトガイド３１）およびレンズユニット４を配置するための上方空間と、センサー５および照明手段３のＬＥＤ基板３２が設けられたプリント回路基板６を配置するための下方空間とに区分されて仕切られている。また、中間部材２１ｂの上方空間側には、照明手段３が備えるライトガイド３１が挿入されて配置されるための斜溝２２と、斜溝２２に並設され、レンズユニット４が嵌挿されて配置されるための凹溝２３とがＸ方向に延設されている。凹溝２３の底面には、レンズユニット４から出射されて、Ｘ方向に所定の読取幅を有する光が通過するためのスリット２４がＸ方向に延設されており、スリット２４により、フレーム２の上方空間と下方空間とが連通されている。なお、斜溝２２は、鉛直方向（図１のＺ方向）に対して傾斜して形成されている。
【００２３】
斜溝２２の底面の上方には、斜溝２２に配置されたライトガイド３１を上方から押圧するための複数の押さえ部材２５がＸ方向において所定の間隔でフレーム２に設けられている。各押さえ部材２５は、それぞれ、斜溝２２に沿って隣接するフレーム２の側壁（フレーム部材２１ａ）から内側に向けて突出して当該フレーム２と一体的に形成されている。また、各押さえ部材２５の下面側に配置されるライトガイド３１を斜溝２２の底面に押圧する押圧面は、押圧対象であるライトガイド３１の上側の外周面形状とほぼ同一形状に形成されている。
【００２４】
また、斜溝２２の一端側（図１のＸ軸を示す矢印の始点側）から該斜溝２２に挿入されたライトガイド３１は、平面視において凹溝２３に嵌挿されたレンズユニット４にＸ方向に沿って配置される。また、ライトガイド３１が押さえ部材２５により上方から押圧された状態で、ライトガイド３１の出射面３１ｂの下側の長手方向（Ｘ方向）に沿って面取りされた部分が、凹溝２３に嵌挿された状態のレンズユニット４の入射側のアパーチャー部材４２の左上部の長手方向（Ｘ方向）に沿って面取りされた部分にＸ方向に沿って対向する。
【００２５】
なお、押さえ部材２５の押圧面の形状が、押圧対象であるライトガイド３１の上側の外周面形状とほぼ同一形状に形成されているので、凹溝２３にレンズユニット４が嵌挿され、斜溝２２にライトガイド３１が挿入された状態において、斜溝２２へのライトガイド３１の挿入方向（Ｘ方向）以外の方向へのライトガイド３１の移動、すなわち、斜溝２２からの抜けは押さえ部材２５により規制されている。また、フレーム２の側壁（フレーム部材２１ａ）の各押さえ部材２５に対応する位置には、それぞれ、各押さえ部材の下方を通って斜溝２２に連通する矩形状の孔２５ａが形成されている。この孔２５ａは、フレーム２の上方空間に斜溝２２および押さえ部材２５を形成するための押さえ部材形成用ダイが斜めに配置されることにより形成されたものである。
【００２６】
照明手段３は、プリント回路基板６に取り付けられたＬＥＤ基板３２に設けられたＬＥＤ（Light Emitting Diode：図示省略）を光源とし、ＬＥＤの光を原稿ガラスＧＬ上に載置された原稿ＯＢに導光するライトガイド３１（本発明の「導光体」に相当)を有し原稿ＯＢにＬＤＥの光を照射する。なお、図１中において、ＬＥＤ基板３２はその上端部分の形状が点線で示されることにより、その一部が図示省略されている。
【００２７】
ライトガイド３１は、アクリル樹脂やガラス等の透明部材により形成され、ＣＩＳモジュール１の読み取り範囲とほぼ同じ長さの長尺に構成されており、中間部材２１ｂの上面に設けられた斜溝２２に挿入されることによりＸ方向に配設されている。また、ライトガイド３１は、一端側の端面（図１の紙面に向かって手前側）からライトガイド３１内に入射されたＬＥＤの光を反射する反射構造が形成された反射面３１ａと、反射面３１ａにより反射された光を原稿ＯＢに向けて出射する出射面３１ｂとを有している。そして、反射面３１ａおよび出射面３１ｂは、それぞれライトガイド３１の外周面に長手方向に沿って形成されて透明部材を介して対向配置されている。そして、ライトガイド３１の長手方向に直交する断面における出射面３１ｂの幅が反射面３１ａよりも狭く形成されている。
【００２８】
また、ライトガイド３１の長手方向に直交する断面形状が、反射面３１ａ側から出射面３１ｂ側に向けて先細りする六角形状を有し、ライトガイド３１は、レンズユニット４に対向する部分が出射面３１ｂに沿って長手方向に面取りされている。そして、ライトガイド３１の面取りされた部分が、レンズユニット４の同様に面取りされた部分にＸ方向に沿って配置されることによって、出射面３１ｂがレンズユニット４に近接配置されている。また、照明手段３は、ライトガイド３１の出射面３１ｂを除く外周面を被覆する遮光フィルム３３をさらに有しており、遮光フィルム３３のライトガイド３１（透明部材）に接する面には光を散乱させる散乱面が形成されている。なお、この実施形態では、遮光フィルム３３の厚みは約１２５μｍに形成されている。
【００２９】
また、ライトガイド３１を紙面に向かって手前側の一端側から出射面３１ｂをレンズユニット４側に向けてＸ方向にフレーム２の中間部材２１ｂの上面に形成された斜溝２２に挿入することにより、ライトガイド３１の手前側の端面の位置に、ＬＥＤ基板３２を挿入するための挿入空間が形成される。そして、図１に示すように、ＬＥＤ基板３２が設けられたプリント回路基板６が、フレーム２の下方空間における所定位置に配設されてＬＥＤ基板３２が挿入空間に下方側から挿入されることによって、ＬＥＤ基板３２の先端側の端面が押さえ部材２５の押圧面に当接することにより位置決めされて、ＬＥＤ基板３２に設けられたＬＥＤがライトガイド３１の長手方向の一端側である手前側の端面に対向配置される。
【００３０】
ＬＥＤからの照明光がライトガイド３１の一端側から入射すると、その照明光はライトガイド３１の他端側に向けてライトガイド３１内を伝播すると共に、反射面３１ａにより散乱する。反射面３１ａによって散乱した照明光は、ライトガイド３１内において外周面（遮光フィルム３３）により全反射されることで出射面３１ｂに向かって集光される。そして、集光された照明光が出射面３１ｂから原稿ガラスＧＬに向けて出射されて原稿ガラスＧＬ上の原稿ＯＢに集光された状態で照射される。こうして、Ｘ方向に延びる帯状の照明光が原稿ＯＢに照射され、原稿ＯＢで反射される。
【００３１】
なお、ＬＥＤから照明が入射されるライトガイド３１の一端側と反対の他方端側の端面が当接するフレーム２（フレーム部材２１ａ）の内壁面には、スポンジやゴム、ばねなどの弾性部材により形成される付勢手段（図示省略）が設けられている。ライトガイド３１は、付勢手段により斜溝２２から脱出（脱離）する方向（Ｘ矢印の向きと反対方向）に付勢されてＬＥＤ基板３２に設けられたＬＥＤに当接する。挿入空間に下方から挿入されたＬＥＤ基板３２は、弾性部材により付勢されたライトガイド３１により押圧される方向において、付勢手段が設けられた内壁面に対向するフレーム２の内壁面に当接して位置決めされる。したがって、ＬＥＤ基板３２のＬＥＤの実装面に当接するライトガイド３１の一端側が、ＬＥＤ基板３２により抜け止めするように押さえられることにより、ライトガイド３１の斜溝２２からの脱離が規制されてライトガイド３１の斜溝２２への挿入状態が保持されるので、ライトガイド３１は、斜溝２２内において付勢手段とＬＥＤ基板３２との間に正確に位置決めされて固定される。
【００３２】
すなわち、斜溝２２の一端側から挿入されたライトガイド３１の一端側が、ＬＥＤ基板３２で抜け止めするようにＬＥＤ基板３２のＬＥＤの実装面を当接させて押さえられているので、ライトガイド３１の一端側からＬＥＤの光をライトガイド３１に確実に入射することができると共に、ライトガイド３１の斜溝２２からの脱離がＬＥＤ基板３２により規制されてライトガイド３１が挿入状態に保持されるので、ＬＥＤと、ライトガイド３１の斜溝２２からの抜け止めを防止する部材とを個別に設けなくともよいため、ＣＩＳモジュール１を構成する部品の簡素化を図ることができる。
【００３３】
また、ライトガイド３１の斜溝２２への挿入状態において、ライトガイド３１は付勢手段により斜溝２２から脱離する方向に付勢されるので、付勢手段の付勢力によりライトガイド３１の一端側がＬＥＤ基板３２のＬＥＤの実装面に押し付けられて密着するので、ＬＥＤの光をライトガイド３１に入射する入射効率の向上を図ることができる。
【００３４】
また、照明手段３が配置されるフレーム２の上方空間と、センサー５（プリント回路基板６）が配置される下方空間とは、中間部材２１ｂにより隔離されているため、照明手段３の光が下方空間に漏れるおそれが無く、照明手段３から漏洩した光のセンサー５への入射によるノイズの発生が防止される。
【００３５】
照明手段３による照明光の照射位置の直下位置には、上記した凹溝２３がＸ方向に設けられており、レンズユニット４は、凹溝２３に嵌挿されることによりライトガイド３１に並設されている。レンズユニット４は、原稿ＯＢからの反射光を入射させる複数の第１レンズ面４１ａがライトガイド３１の長手方向と同じＸ方向に配列されて成る入射面を有するレンズアレイ４１と、レンズアレイ４１と原稿ＯＢとの間に配置されてＸ方向に複数の透孔４２ａが透設された入射側のアパーチャー部材４２と、レンズアレイ４１とセンサー５との間に配置されてＸ方向に複数の透孔４３ａが透設された出射側のアパーチャー部材４３とを有し、入射面に入射した原稿ＯＢからの反射光を集光してセンサー５上に原稿ＯＢの正立等倍像を形成する。
【００３６】
レンズアレイ４１は、ＣＳＩモジュール１の読み取り範囲とほぼ同じ長さだけＸ方向に長尺に延設されており、照明光に対して光透過性を有する樹脂やガラスなどの透明媒体によって一体成形されている。具体的には、レンズアレイ４１は、原稿ＯＢからの反射光を入射させる第１レンズ面４１ａと、第１レンズ面４１ａに入射させた光を出射する第２レンズ面４１ｂとを有する複数のレンズが互いの光軸を平行にして、各第１レンズ面４１ａおよび各第２レンズ面４１ｂのそれぞれがライトガイド３１の長手方向と同じＸ方向に配列されて形成される。そして、各第１レンズ面４１ａがＸ方向に配列されることによりレンズアレイ４１の入射面が形成され、各第２レンズ面４１ｂがＸ方向に配列されることによりレンズアレイ４１の出射面が形成される。
【００３７】
また、図１〜図３に示すように、レンズアレイ４１は、レンズアレイ４１のＸ方向に直交するＹ−Ｚ断面が、各第１レンズ面４１ａがＸ方向に配列されて成る入射面側に向かって先細りするくさび状を成し、レンズアレイ４１の長手方向に長尺の両外側面により入射面に向かって先細りするテーパー形状が形成されている。また、図４に示すように、レンズアレイ４１は、レンズアレイ４１を構成する各レンズの光軸に平行なＸ−Ｚ断面が、入射面が上底側に配置された台形状を成し、レンズアレイ４１の長手方向における両端面により入射面に向かって先細りするテーパー形状が形成されている。
【００３８】
また、レンズアレイ４１の入射側のアパーチャー部材４２には各レンズの第１レンズ面４１ａそれぞれに対応する位置に透設された複数の透孔４２ａがＸ方向に沿って形成されており、原稿ＯＢから入射される反射光の入射方向が各透孔４２ａにより規制される。また、レンズアレイ４１の出射側のアパーチャー部材４３には各レンズの第２レンズ面４１ｂそれぞれに対応する位置に穿設された複数の透孔４３ａがＸ方向に沿って形成されており、レンズアレイ４１の第２レンズ面４１ｂから出射する出射光の出射方向が各透孔４３ａにより規制される。すなわち、レンズアレイ４１の入射側に配置されたアパーチャー部材４２と、レンズアレイ４１の出射側に配置されたアパーチャー部材４３とにより、センサー５への迷光の入射が防止されている。
【００３９】
また、図１〜図３に示すように、入射側のアパーチャー部材４２は、Ｘ方向に直交するＹ−Ｚ断面が、くさび状の外形およびくさび状の第１の凹空間ＳＰ１を有し、アパーチャー部材４２の尖った先端側に各透孔４２ａがＸ方向に配列されて透設されている。すなわち、アパーチャー部材４２の長手方向に長尺の両外側面により先端側に向かって先細りするテーパー形状が形成され、アパーチャー部材４２の内側に設けられた凹空間ＳＰ１の長手方向に長尺の両内側面により先端側に向かって先細りするテーパー形状が形成されている。また、図４に示すように、アパーチャー部材４２は、各透孔４２ａを通過する反射光の各光軸に平行なＸ−Ｚ断面が、各透孔４２ａが上底側に配置された台形状を成し、アパーチャー部材４２の内側に設けられた凹空間ＳＰ１の長手方向における両端面により先端側に向かって先細りするテーパー形状が形成されている。
【００４０】
また、アパーチャー部材４２の長手方向に直交するＹ−Ｚ断面において、凹空間ＳＰ１を形成するアパーチャー部材４２の内側面は、各透孔４２ａを通過して各第１レンズ面４１ａに入射する原稿ＯＢからの反射光の光路の外側に配置されている。そして、図１〜図４に示すように、レンズアレイ４１の各第１レンズ面がアパーチャー部材４２の各透孔４２ａに対向するように、レンズアレイ４１がアパーチャー部材４２の凹空間ＳＰ１に嵌挿されている。また、レンズアレイ４１のアパーチャー部材４２の凹空間ＳＰ１への嵌挿状態において、レンズアレイ４１の各外側面により形成されるテーパー形状とアパーチャー部材４２の凹空間ＳＰ１の各内側面により形成されるテーパー形状とが係止することによって、レンズアレイ４１はアパーチャー部材４２の凹空間ＳＰ１内において位置決めされている。
【００４１】
また、図１〜図３に示すように、出射側のアパーチャー部材４３は、Ｘ方向に直交するＹ−Ｚ断面が、逆台形状の外形および逆台形状の凹空間ＳＰ２を有し、アパーチャー部材４３の逆台形状の底面側に各透孔４３ａがＸ方向に配列されて透設されている。すなわち、アパーチャー部材４３の長手方向に長尺の両外側面により底面側に向かって先細りするテーパー形状が形成され、アパーチャー部材４３の内側に設けられた凹空間ＳＰ２の長手方向に長尺の両内側面により底面側に向かって先細りするテーパー形状が形成されている。また、図４に示すように、アパーチャー部材４３は、各透孔４３ａを通過する反射光の各光軸に平行なＸ−Ｚ断面が、各透孔４３ａが下底側に配置された逆台形状を成し、アパーチャー部材４３の長手方向における両端面により底面側に向かって先細りするテーパー形状が形成されている。
【００４２】
そして、図１〜図４に示すように、アパーチャー部材４３は、凹空間ＳＰ２においてレンズアレイ４１の各第２レンズ面４１ｂが各透孔４３ａに対向するように、その開口側からアパーチャー部材４２の凹空間ＳＰ１に嵌挿されている。すなわち、アパーチャー部材４３のアパーチャー部材４２の凹空間ＳＰ１への嵌挿状態において、アパーチャー部材４３の各透孔４３ａに対向する開口側の端面がレンズアレイ４１の第２のレンズ面４１ｂの周縁に形成されているフランジ部分に当接すると共に、アパーチャー部材４３の各外側面により形成されるテーパー形状とアパーチャー部材４２の凹空間ＳＰ１の各内側面により形成されるテーパー形状とが係止することによって、アパーチャー部材４３は位置決め固定されてアパーチャー部材４２の凹空間ＳＰ１に嵌挿されている。
【００４３】
なお、フレーム２の中間部材２１ｂに設けられた凹溝２３の底面にＸ方向に形成されたスリット２４は、レンズアレイ４１を構成する各レンズの出射側の各光軸がＸ方向に配列される位置に形成され、スリット２４は、各レンズの出射側の各光軸のＸ方向における幅よりも多少幅広に形成されている。そして、レンズユニット４に入射した反射光は、スリット２４を通過して該スリット２４に対向する位置に配置されたセンサー５上に集光されて、該センサー５上に正立等倍像が形成される。
【００４４】
センサー５は、図１に示すように、ＬＥＤ基板３２が搭載されたプリント回路基板６にＸ方向に取り付けられており、原稿ＯＢの正立等倍像を読み取り、その正立等倍像に関連する信号を出力する。
【００４５】
以上のように構成されたＣＩＳモジュール１は次のようにして組立てられる。すなわち、まず、フレーム２の上方空間側に設けられた凹溝２３にレンズユニット４が嵌挿されて、ライトガイド３１が、斜溝３１内に挿入される。そして、図１に示すように、ライトガイド３１の一端側の挿入空間にＬＥＤ基板３２が下方側から挿入されるように、フレーム２の下方空間の所定位置にプリント回路基板６が配置されることによってＣＩＳモジュール１の組み立てが完了する。
【００４６】
次に、図５（ａ），（ｂ）を参照してライトガイド３１とレンズユニット４との配置関係の一例について説明する。
【００４７】
図５はライトガイドによる原稿の照明状態を説明するための図であって、（ａ）はライトガイドおよびレンズユニットの配置関係を示し、（ｂ）は原稿の照明状態を示す。また、図５（ｂ）において、Ｙ方向における原点Ｏの位置はＸ方向に直交するＹ−Ｚ断面におけるレンズユニット４の光軸ＣＬの位置に相当し、Ｙ（＋）方向はレンズユニット側を示し、Ｙ（−）方向はライトガイド側を示し、原点Ｏ側がＬＥＤにより照明光が入射されるライトガイド３１の端面側を示す。また、図５（ｂ）は、サイバネットシステム株式会社製の照明解析ソフト「ＬｉｇｈｔＴｏｏｌｓ」によるシミュレーションにより導出された光軸ＣＬの位置のＸ方向における明るさを表している。
【００４８】
この実施形態では、ライトガイド３１の長手方向に直交する断面における反射面３１ａの幅が２ｍｍ、出射面３１ｂの幅が０．８ｍｍ、反射面３１ａと出射面３１ｂとの距離が４ｍｍに設定されている。また、レンズユニット４（アパーチャー部材４２）の長手方向に直交するＹ−Ｚ断面における各透孔４２ａが透設された先端面の幅が１．３ｍｍに設定されている。また、原稿ガラスＧＬは屈折率ｎが１．５１の材質により形成されているので、ライトガイド３１の出射面３１ｂの法線と原稿ガラスＧＬとが成す角度がγであれば、原稿ガラスＧＬに入射して屈折した光の進行方向と原稿ガラスＧＬとが成す角度δは１．５１γとなる。
【００４９】
したがって、レンズユニット４の上端面と原稿ガラスＧＬの下面との距離をｄ１、原稿ガラスＧＬの厚みをｄとすると、ライトガイド３１から出射された光が原稿ガラスＧＬの上面とレンズユニット４の光軸ＣＬとの交点に照射されるためには、ライトガイド３１の長手方向に直交する断面における出射面３１ｂの中心とレンズユニット４の光軸ＣＬとの距離Ｌは、
Ｌ＝ｄ１・ｔａｎ（９０−γ）＋ｄ・ｔａｎ（９０−δ）
と表すことができる。この実施形態では、レンズユニット４の上端面と原稿ガラスＧＬの下面との距離ｄ１が０．６６ｍｍ、原稿ガラスＧＬの厚みｄが２．８ｍｍに設定されているため、例えば、ライトガイド３１の出射面３１ｂの法線と原稿ガラスＧＬとが成す角度γを４０度とすれば、出射面３１ｂの中心とレンズユニット４の光軸ＣＬとの距離Ｌは約２．４ｍｍとなる。したがって、上記した条件において、出射面３１ｂの中心および光軸ＣＬ間の距離が２．４ｍｍとなるように、ライトガイド３１およびレンズユニット４が配置されれば、出射面３１ｂから出射される照明光により、原稿ＯＢの光軸ＣＬの位置が適正にＸ方向に帯状に照明される。
【００５０】
また、図５（ａ）に示すように、フレーム２の側壁および押さえ部材２５の上面とレンズユニット４の入射側のアパーチャー部材４２の各透孔が形成された先端面とがはほぼ同一の平面Ｓに配置されるように構成されており、ライトガイド３１は平面Ｓを越えて原稿ガラスＧＬに突出しないように配置されている。
【００５１】
なお、この実施形態では、ライトガイド３１には、出射面３１ｂとの角度αが１００度〜１４０度となるように面取りが施されており、アパーチャー部材４２には、先端面との角度βが１００度〜１４０度となるように面取りが施されている。したがって、距離Ｌが２．４ｍｍ以内となるようにライトガイド３１およびレンズユニット４の入射面が近接配置されると共に、上記したライトガイド３１の面取り角度α、レンズユニット４の面取り角度β、光線の入射角度γの関係が、
α＋β＋γ＝２７０度
となるように、ライトガイド３１およびレンズユニット４が配置されることによって、ライトガイド３１の出射面３１ｂから出射された光が原稿ガラスＧＬの上面とレンズユニット４の光軸ＣＬとが交わる部分に帯状に照射される。
【００５２】
すなわち、図５（ｂ）に示すように、原稿ガラスＧＬの上面とレンズユニット４の光軸ＣＬとが交わる部分に対してライトガイド３１の出射面３１ｂから出射された光が帯状に適正に照射される。
【００５３】
（比較例）
次に、図６（ａ），（ｂ）を参照して比較例について説明する。
【００５４】
図６は比較例における原稿の照明状態を説明するための図であって、（ａ）はライトガイドおよびレンズユニットの配置関係を示し、（ｂ）は原稿の照明状態を示す。図６（ａ）に示すように、比較例では、ライトガイド１３１およびレンズユニット１０４は、それぞれ外周面に上記したような面取りが施されておらず、それぞれ長手方向（Ｘ方向）に直交する断面形状が矩形状に形成されている。また、長手方向に直交するＹ−Ｚ断面におけるライトガイド１３１の出射面３１ｂの幅は反射面３１ａと同じ幅に形成されている。その他の構成は上記した例と同様であるため、同一符号を付すことによりその説明を省略する。
【００５５】
この比較例では、ライトガイド１３１およびレンズユニット１０４それぞれに面取りが施されておらず、ライトガイド１３１およびレンズユニット１０４を近接配置することができない。さらに、ライトガイド１３１に入射されたＬＥＤの照明光は出射面３１ｂに向かって集光されない。したがって、図６（ｂ）に示すように、照射中心が大幅にライトガイド１３１側に寄った状態となり、原稿ガラスＧＬの上面とレンズユニット４の光軸ＣＬとが交わる部分がライトガイド１３１の出射面３１ｂから出射された光によりほぼ照明されない状態となる。
【００５６】
また、図６（ａ）に点線で示すように、原稿ガラスＧＬの上面とレンズユニット１０４の光軸ＣＬとが交わる部分がライトガイド１３１の出射面３１ｂから出射された光により照明されるためには、ライトガイド１３１を平面Ｓを大幅に越えて上方に配置しなければならないが、原稿ガラスＧＬがＣＩＳモジュール１の直上に配置されるため、事実上、同図（ａ）中の点線の位置にライトガイド１３１を配置するのは不可能である。
【００５７】
（ライトガイドの変形例）
次に、図７（ａ），（ｂ）を参照してライトガイドの変形例について説明する。
【００５８】
図７はライトガイドの変形例における原稿の照明状態を説明するための図であって、（ａ）はライトガイドおよびレンズユニットの配置関係を示し、（ｂ）は原稿の照明状態を示す。図７（ａ）に示す例が図５（ａ）に示す例と異なるのは、ライトガイド３１０の長手方向に直交する断面形状が、出射面３１ｂ側に向けて向けて先細りする形状ではない矩形状に形成されている点である。その他の構成は上記した例と同様であるため、同一符号を付すことによりその説明を省略する。
【００５９】
図７（ａ）に示す例ではライトガイド３１０のＹ−Ｚ断面が矩形状に形成されているが、レンズユニット４のＹ−Ｚ断面が先端面に向かって先細りするくさび状を成し、レンズユニット４の先端面の幅が従来よりも狭く構成されているので、ライトガイド３１０の配置の自由度が高く、ライトガイド３１０の出射面３１ｂをレンズユニット４（レンズアレイ４１）の光軸ＣＬに十分に近づけて配置することができる。したがって、この例においても、図７（ｂ）に示すように原稿ガラスＧＬの上面とレンズユニット４の光軸ＣＬとが交わる部分に対してライトガイド３１０の出射面３１ｂから出射された光が帯状に１９．９％の光利用効率で適正に照射される。
【００６０】
以上のように、上記した実施形態では、入射側のアパーチャー部材４２は、長手方向に直交するＹ−Ｚ断面がくさび状の外形およびくさび状の凹空間ＳＰ１を有し、アパーチャー部材４２の尖った先端側に各透孔４２ａが透設され、レンズアレイ４１の各第１レンズ面４１ａが各透孔４２ａに対向するように、長手方向に沿ってレンズアレイ４１がアパーチャー部材４２の凹空間ＳＰ１に嵌挿されている。したがって、各透孔４２ａが透設されたアパーチャー部材４２の先端面のＹ−Ｚ断面における幅が従来よりも狭く形成されているため、レンズアレイ４１に並設された照明手段３のライトガイド３１の出射面３１ｂを原稿ＯＢの反射光が入射されるアパーチャー部材４２の尖った先端側により近接して配置することができるので、照明手段３の配置の自由度が高く、照明手段３により原稿ＯＢを効率よく照明することが可能な新規な構成のレンズユニット４を備えるＣＩＳモジュール１を提供することができる。
【００６１】
また、レンズアレイ４１の長手方向に直交するＹ−Ｚ断面がくさび状を成し、該レンズアレイ４１が嵌挿されるアパーチャー部材４２の凹空間ＳＰ１の長手方向に直交するＹ−Ｚ断面がくさび状であるので、レンズアレイ４１がアパーチャー部材４２の凹空間ＳＰ１にくさびのように嵌挿されることによって、レンズアレイ４１とアパーチャー部材４２との位置合わせを容易に行うことができる。
【００６２】
また、レンズアレイ４１がアパーチャー部材４２の凹空間ＳＰ１に嵌挿される際に、レンズアレイ４１の長手方向における両端面により形成されるテーパー形状が、アパーチャー部材４２の凹空間ＳＰ１の長手方向における両内側面により形成されるテーパー形状に係止することによって、レンズアレイ４１がアパーチャー部材４２の凹空間ＳＰ１に嵌め込まれるので、長手方向におけるレンズアレイ４１とアパーチャー部材４２との位置合わせを容易に行うことができる。
【００６３】
また、アパーチャー部材４２の長手方向に直交するＹ−Ｚ断面において、アパーチャー部材４２の内側面は、各透孔４２ａを通過して各第１レンズ面４１ａに入射する反射光の光路の外側に配置されているので、アパーチャー部材４２の各透孔４２ａに入射した原稿ＯＢからの反射光が、アパーチャー部材４２の内側面により反射されたり、吸収されたりすることにより、センサー５上に形成される正立等倍像に誤差等が生じるのを防止することができる。
【００６４】
また、アパーチャー部材４３がアパーチャー部材４２の凹空間ＳＰ１に嵌挿された状態で、アパーチャー部材４２の外側面とアパーチャー部材４３の外側面との一部が重合するように構成されており、アパーチャー部材４２の凹空間ＳＰ１およびアパーチャー部材４３の凹空間ＳＰ２により形成される閉塞空間にレンズアレイ４１が収納されているので、レンズアレイ４１から該閉塞空間の外部に光が漏れるのを防止することができる。
【００６５】
また、レンズアレイ４１を射出成形により成形する場合には、レンズアレイ４１がＹ−Ｚ断面においてくさび状を成しているので、レンズアレイ４１を金型から取り出しやすいので、レンズアレイ４１の生産性の向上を図ることができる。
【００６６】
また、ＬＥＤの光を原稿ＯＢに導光する長尺の棒状のライトガイド３１は、透明部材により形成されている。また、ライトガイド３１は、該ライトガイド３１の少なくとも一方の端面から当該ライトガイド３１内に入射されたＬＥＤの光を反射する反射構造が形成された反射面３１ａと、反射面３１ａにより反射された光を原稿ＯＢに向けて出射する出射面３１ｂとを有しており、反射面３１ａおよび出射面３１ｂは、それぞれ当該ライトガイド３１の外周面に長手方向（Ｘ方向）に沿って形成されて透明部材を介して対向配置されている。そして、ライトガイド３１の長手方向に直交する断面における出射面３１ｂの幅が反射面３１ａよりも狭く形成されているので、ライトガイド３１の端面から入射されて反射面３１ａにおいてその長手方向全体に渡って散乱したＬＥＤの光が、透明部材の内部においてライトガイド３１の外周面により全反射されて出射面３１ｂに向かって集光されて該出射面３１ｂから原稿ＯＢに向けて帯状に出射される。
【００６７】
したがって、ライトガイド３１の内部において出射面３１ｂに向かって集光された状態の光が該出射面３１ｂから原稿ＯＢに向かって帯状に出射されるので、原稿ＯＢとレンズユニット４が備えるレンズアレイの光軸ＣＬとが交わる部分を照明手段３により帯状に効率よく照明することが可能な照明手段３を備えるＣＩＳモジュール１を提供することができる。
【００６８】
また、ライトガイド３１の長手方向に直交する断面形状が反射面３１ａ側から出射面３１ｂ側に向けて先細りする形状であるので、反射面３１ａにおいてその長手方向全体に渡って散乱したＬＥＤの光を、ライトガイド３１の外周面によって全反射させることによりさらに効率よく出射面３１ｂに向かって集光することができる。したがって、出射面３１ｂから原稿ＯＢに向けて帯状に出射される光によって原稿ＯＢをさらに効率よく照明することができる。また、ライトガイド３１の長手方向に直交する断面形状が反射面３１ａ側から出射面３１ｂ側に向けて先細りする形状であるため、長手方向（Ｘ方向)に直交する断面における出射面３１ｂの中心と、各第１レンズ面４１ａの配列方向（Ｘ方向)に直交する断面におけるレンズアレイ４１の光軸ＣＬとをより近接して配置することができる。
【００６９】
また、ライトガイド３１は、レンズユニット４に対向する部分が出射面３１ｂに沿って長手方向に面取りされているので、長手方向に直交する断面における出射面３１ｂの中心と、各第１レンズ面４１ａの配列方向に直交する断面におけるレンズユニット４の光軸ＣＬとをより近接配置して、該光軸ＣＬ上のアパーチャー部材４２の複数の透孔４２ａが形成された先端面により近い位置を照明手段３により帯状に照明することができる。また、ライトガイド３１の出射面３１ｂとレンズユニット４の入射面とが近接配置されることによってＣＩＳモジュールの小型化を図ることができる。
【００７０】
また、ライトガイド３１を形成する透明部材内において反射面３１ａにより反射された光を、遮光フィルム３３の散乱面によってより効率よく全反射させることでさらに効率よく出射面３１ｂに向かって集光することができる。また、遮光フィルム３３により、ライトガイド３１に入射されたＬＥＤの光がライトガイド３１の外周面から外部に漏れるのを防止することができる。また、従来では、光の漏洩を防止するためにライトガイド３１はケースに収納されてフレーム２に設けられていたが、上記したようにライトガイド３１を、ケースと比較すると非常に薄い遮光フィルム３３で被覆することによって光の漏洩を防止することで、ライトガイド３１およびレンズユニット４をより近接して配置することができる。
【００７１】
＜第２実施形態＞
本発明の第２実施形態について図８を参照して説明する。
【００７２】
図８は本発明の第２実施形態におけるレンズユニットのＸ−Ｚ断面図である。図８に示すレンズユニット４が上記した第１実施形態と異なるのは、図８に示すように、レンズアレイ４１のＸ方向（長手方向）における両端面に係止部４１ｃが設けられ、アパーチャー部材４２の凹空間ＳＰ１のＸ方向における両内側面に係止部４１ｃに係止す被係止部４２ｂが設けられている点である。その他の構成は上記した第１実施形態の構成と同様であるため、その構成の説明は同一符号を付すことにより省略する。
【００７３】
このように構成すると、上記した第１実施形態と同様の効果を奏することができると共に以下の効果を奏することができる。すなわち、レンズアレイ４１がアパーチャー部材４２の凹空間ＳＰ１に嵌挿される際に、レンズアレイ４１の係止部４１ｃが、アパーチャー部材４２の被係止部４２ｂに係止するので、レンズアレイ４１のアパーチャー部材４２の凹空間ＳＰ１内における位置決め精度の向上を図ることができる。
【００７４】
＜第３実施形態＞
本発明の第３実施形態について図９および図１０を参照して説明する。
【００７５】
図９は本発明の第３実施形態におけるレンズアレイの斜視図、図１０は図９のレンズアレイがアパーチャー部材に収納されたレンズユニットのＹ−Ｚ断面斜視図である。この実施形態が上記した第１実施形態と異なるのは、図９に示すように、レンズアレイ４１は、射出成形により成形されたものであって、その外側面に金型からレンズアレイ４１を押圧して取り出すための凹部４１ｄが複数形成されている点である。また、図１０に示すように、レンズアレイ４１のアパーチャー部材４２の凹空間ＳＰ１への嵌挿状態において、レンズアレイ４１に形成された複数の凹部４１ｄの少なくとも１つに係合する係合部４２ｃが、アパーチャー部材４２の凹空間ＳＰ１の内側面に設けられている。その他の構成は上記した第１実施形態と同様であるため、その構成の説明は同一符号を付すことにより省略する。
【００７６】
このように構成すると、上記した第１実施形態と同様の効果を奏することができると共に以下の効果を奏することができる。すなわち、レンズアレイ４１のアパーチャー部材４２凹空間ＳＰ１への嵌挿状態において、射出成形に用いられる金型からレンズアレイ４１を取り出すために該レンズアレイ４１の外側面に形成された複数の凹部４１ｄの少なくとも１つに、アパーチャー部材４２の凹空間ＳＰ１の内側面に設けられた係合部４２ｃが係合することにより、レンズアレイ４１のアパーチャー部材４２に対する位置決めが行われるので、レンズアレイ４１に位置決め用の突起等を別途形成する必要がなく、非常に実用的である。
【００７７】
なお、レンズアレイ４１のＸ方向における両端位置においては、図９に示すように、各第１レンズ面４１ａが配列されて成る入射面のＸ方向における両側にフランジ部４１ｄ１が形成されており、金型からレンズアレイ４１を取り出すときにこのフランジ部４１ｄ１を押圧することができるので、レンズアレイ４１のＸ方向における両端に形成された凹部４１ｄは必ずしも必要ない。
【００７８】
＜第４実施形態＞
本発明の第４実施形態について図１１を参照して説明する。
【００７９】
図１１は本発明の第４実施形態におけるレンズユニットのＹ−Ｚ断面斜視図である。この実施形態が上記した第１実施形態と異なるのは、ライトガイド３１の出射面３１ｂに対向する、アパーチャー部材４２の各透孔４２ａが透設された先端面と外側面とにより形成される角部がＸ方向に沿って面取りされている点である。その他の構成は上記した第１実施形態と同様であるため、その構成の説明は同一符号を付すことにより省略する。
【００８０】
このように構成すると、上記した第１実施形態と同様の効果を奏することができると共に以下の効果を奏することができる。すなわち、アパーチャー部材４２のライトガイド３１の出射面３１ｂに対向する部分の角部が長手方向に沿って面取りされているため、ライトガイド３１の出射面３１ｂから原稿ＯＢに向かって照射される光がアパーチャー部材４２によって遮光されるのを抑制することができる。
【００８１】
＜レンズアレイの変形例＞
レンズアレイの変形例について図１２を参照して説明する。
【００８２】
図１２はレンズユニットのＹ−Ｚ断面図であって、（ａ）および（ｂ）はそれぞれアパーチャー部材の構成が異なるものを示す。この実施形態が上記実施形態と異なるのは、レンズアレイ１４１，２４１が、Ｙ−Ｚ断面において矩形状を有している点である。また、図１２（ａ）に示す例では、入射側のアパーチャー部材１４２が出射側のアパーチャー部材１４３に嵌挿されて、両アパーチャー部材１４２，１４３が固定されるように構成されている。また、図１２（ｂ）に示す例では、出射側のアパーチャー部材２４３が入射側のアパーチャー部材２４２に嵌挿されて、両アパーチャー部材２４２，２４３が固定されるように構成されている。その他の構成は上記した実施形態と同様であるため、その構成の説明は同一符号を付すことにより省略する。
【００８３】
このように構成しても、上記した実施形態と同様の効果を奏することができる。
【００８４】
なお、本発明は上記した実施形態に限定されるものではなく、その趣旨を逸脱しない限りにおいて上述したものに対して種々の変更を加えることが可能である。例えば、レンズアレイの構成は、アパーチャー部材の透孔に入射された反射光を集光してセンサー５上に適正に正立等倍像を形成することができるものであればどのようなものであってもよく、１列のレンズ列により構成されたレンズアレイや複数のレンズ列が配列された構成のレンズアレイなどを採用することができる。また、入射側のアパーチャー部材の構成が上記した構成を満足するものであれば、複数のレンズアレイが光軸方向に配列され、入射側、レンズアレイ間、出射側にそれぞれアパーチャー部材が配置されて構成された結像光学素子などを採用することができる。
【００８５】
また、ライトガイド３１の長手方向に直交する断面形状は、上記した形状に限らず、台形や長方形、五角形状など、どのような形状であってもよい。また、ライトガイド３１の配置位置は、原稿ＯＢに適正に光を帯状に照射することができれば、上記した配置位置に限定されるものではない。
【００８６】
そして、読み取り対象物からの反射光を結像して正立等倍像を形成する結像光学素子を備える画像読取装置に本発明を広く適用することができる。
【符号の説明】
【００８７】
１…ＣＩＳモジュール（画像読取装置）、  ３…照明手段、  ３１，３１０…ライトガイド（導光体）、  ４…レンズユニット（結像光学素子）、  ４１，１４１，２４１…レンズアレイ、  ４１ａ…第１レンズ面、  ４１ｂ…第２レンズ面、  ４１ｄ…凹部、  ４２，１４２，２４２…アパーチャー部材、  ４２ａ…透孔、  ４２ｃ…係合部、  ５…センサー、  ＯＢ…原稿（読み取り対象物）、  ＳＰ１…凹空間、  Ｘ…長手方向
【図１】
2013222987.tif 000003
【図２】
2013222987.tif 000004
【図３】
2013222987.tif 000005
【図４】
2013222987.tif 000006
【図５】
2013222987.tif 000007
【図６】
2013222987.tif 000008
【図７】
2013222987.tif 000009
【図８】
2013222987.tif 000010
【図９】
2013222987.tif 000011
【図１０】
2013222987.tif 000012
【図１１】
2013222987.tif 000013
【図１２】
2013222987.tif 000014